(57)【要約】【課題】第２本体部の設定情報を第１本体部の設定情報に変更できる操作装置を提供する。【解決手段】操作装置１００は、第１本体部に付属され、第１本体部の所定の位置に着脱可能である。操作装置１００は、記憶部１４０と、変更部１５２と、通信部１３０とを備える。前記記憶部１４０は、前記第１本体部の設定情報を記憶する。前記変更部１５２は、前記設定情報を変更する。前記通信部１３０は、第２本体部と通信できる。前記変更部１５２は、前記記憶部１４０に記憶された前記第１本体部の設定情報に基づいて、前記第２本体部の設定情報を変更する。【選択図】図１
2020015217.tif 000002
【特許請求の範囲】
【請求項１】
第１本体部に付属され、前記第１本体部の所定の位置に着脱可能な操作装置において、
前記第１本体部の設定情報を記憶する記憶部と、
前記設定情報を変更する変更部と、
第２本体部と通信可能な通信部と、
を備え、
前記変更部は、前記記憶部に記憶された前記第１本体部の設定情報に基づいて、前記第２本体部の設定情報を変更する、操作装置。
【請求項２】
選択部をさらに備え、
前記通信部は、複数の前記第２本体部と通信可能であり、
前記選択部は、前記複数の第２本体部の内から、前記第１本体部の設定情報に変更可能な特定本体部を選択する、請求項１に記載の操作装置。
【請求項３】
前記変更部は、前記第２本体部の設定情報を前記第１本体部の設定情報に変更する、請求項１または請求項２に記載の操作装置。
【請求項４】
前記記憶部は、ユーザー情報を記憶し、
前記変更部は、前記記憶部に記憶された前記ユーザー情報と前記操作装置を操作するユーザーのユーザー情報とが一致するか否かに基づいて、前記第２本体部の設定情報を変更する、請求項１から請求項３のいずれか１項に記載の操作装置。
【請求項５】
判定部をさらに備え、
前記判定部は、前記第１本体部の部品交換が必要な状態か否かを判定し、
前記記憶部は、前記判定部の判定結果に基づいて、機密情報を記憶する、請求項１から請求項４のいずれか１項に記載の操作装置。
【請求項６】
前記第２本体部は、前記部品交換が終了した前記第１本体部を含む、請求項５に記載の操作装置。
【請求項７】
前記通信部は、前記第１本体部及び前記第２本体部と無線通信する、請求項１から請求項６に記載の操作装置。
【請求項８】
請求項１から請求項７のいずれか１項に記載の操作装置と、
記録媒体に画像を形成する画像形成部とを備える、画像形成装置。
【発明の詳細な説明】
【技術分野】
【０００１】
本発明は、操作装置及び画像形成装置に関する。
【背景技術】
【０００２】
一般に、印刷条件を変更できる画像形成装置が提供されている。このような画像形成装置として、特許文献１に記載の画像形成装置は、操作部を備える。操作部は、受け付けた入力を画像形成装置に伝達する。特許文献１に記載の画像形成装置によれば、操作部を介して画像形成装置の設定を変更できる。
【先行技術文献】
【特許文献】
【０００３】
【特許文献１】特開２０１６−１６７２１６号公報
【発明の概要】
【発明が解決しようとする課題】
【０００４】
しかしながら、特許文献１に記載の画像形成装置では、設定を変更した画像形成装置（第１本体部）が停止し、別の画像形成装置（第２本体部）を使用する場合、第１本体部と同じ設定になるようにユーザーが第２本体部の設定を変更する必要があり、ユーザーの利便性が不十分であった。
【０００５】
本発明は上記課題に鑑みてなされたものであり、第２本体部の設定情報を第１本体部の設定情報に変更できる操作装置及び画像形成装置を提供することを目的とする。
【課題を解決するための手段】
【０００６】
本発明の一局面に係る操作装置は、第１本体部に付属され、前記第１本体部の所定の位置に着脱可能である。前記操作装置は、記憶部と、変更部と、通信部とを備える。前記記憶部は、前記第１本体部の設定情報を記憶する。前記変更部は、前記設定情報を変更する。前記通信部は、第２本体部と通信できる。前記変更部は、前記記憶部に記憶された前記第１本体部の設定情報に基づいて、前記第２本体部の設定情報を変更する。
【０００７】
本発明の一局面に係る画像形成装置は、前記操作装置と、画像形成部とを備える。前記画像形成装置は、記録媒体に画像を形成する。
【発明の効果】
【０００８】
本発明の操作装置によれば、第１本体部の操作装置によって、第２本体部の設定情報を第１本体部の設定情報に変更できる。
【図面の簡単な説明】
【０００９】
【図１】本発明の実施形態に係る操作装置を含むネットワークシステムを示す図である。
【図２】操作装置を備える画像形成装置を示す図である。
【図３】操作装置が第２本体部と通信した状態を示す図である。
【図４】制御部が実行する処理のフローチャートを示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１を参照して、操作装置１００を含むネットワークシステムについて説明する。図１は、本発明の実施形態に係る操作装置１００を含むネットワークシステムである。図１に示すように、ネットワークシステムは、ネットワークＮと、画像形成装置１と、操作装置１００とを備える。
【００１２】
ネットワークＮは、ＬＡＮ（Ｌｏｃａｌ  Ａｒｅａ  Ｎｅｔｗｏｒｋ）である。ネットワークＮは、ＬＡＮに限定されない。ネットワークＮが、ＷＡＮ（Ｗｉｄｅ  Ａｒｅａ  Ｎｅｔｗｏｒｋ）であってもよい。
【００１３】
画像形成装置１は複合機である。画像形成装置１は、プリンター機能と複写機能とを備えた複合機が例示されるが、画像形成装置１は、例えば、プリンター、複写機、ファクシミリ装置であってもよい。画像形成装置１は、「本体部」の例に相当する。画像形成装置１は、ネットワークＮを介して操作装置１００と通信可能に接続される。
【００１４】
画像形成装置１は、第１画像形成装置１Ａと、第２画像形成装置１Ｂと、第３画像形成装置１Ｃと、第４画像形成装置１Ｄとを含む。第１画像形成装置１Ａと第２画像形成装置１Ｂと第３画像形成装置１Ｃと第４画像形成装置１Ｄとは、実質的に同一の構成を有する。第１画像形成装置１Ａと第２画像形成装置１Ｂと第３画像形成装置１Ｃと第４画像形成装置１Ｄとを総称して、画像形成装置１と記載することがある。
【００１５】
操作装置１００は、ユーザーからの操作を受け付ける。操作装置１００は、画像形成装置１を操作する。操作装置１００は、例えば、スマートフォンやタブレット端末のような情報の処理が可能な機器であり得る。
【００１６】
操作装置１００は、画像形成装置１の所定の位置に着脱できる。例えば、操作装置１００が第１画像形成装置１Ａに取付けられた場合、操作装置１００を第１画像形成装置１Ａから分離できる。また、第１画像形成装置１Ａから分離した操作装置１００は、第１画像形成装置１Ａと第２画像形成装置１Ｂと第３画像形成装置１Ｃと第４画像形成装置１Ｄとの内のいずれか１つの画像形成装置１に取付けることができる。操作装置１００は、第１画像形成装置１Ａと第２画像形成装置１Ｂと第３画像形成装置１Ｃと第４画像形成装置１Ｄとの内のいずれか１つの画像形成装置１を操作できる。なお、操作装置１００は、第１画像形成装置１Ａに付属されてもよい。
【００１７】
また、操作装置１００は、ネットワークＮを介して画像形成装置１と通信する。
【００１８】
次に、図１と図２とを参照して、本実施形態に係る操作装置１００を備える画像形成装置１を説明する。図２は、操作装置１００を備える画像形成装置１を示す図である。
【００１９】
画像形成装置１は、通信部１０と、読取部２０と、画像形成部３０と、給紙部４０と、搬送経路５０と、定着部６０と、排出部７０と、記憶部８０と、制御部９０と、操作装置１００とを備える。
【００２０】
通信部１０は、ネットワークＮを介して操作装置１００と通信する。通信部１０は、操作装置１００との間で無線通信できる。無線通信は、ＮＦＣ（ＮＥＡＲ  Ｆｉｅｌｄ  Ｃｏｍｍｕｎｉｃａｔｉｏｎ）のような近距離無線通信、またはＷｉ−Ｆｉダイレクト（Ｗｉｒｅｌｅｓｓ  Ｆｉｄｅｌｉｔｙ  ＤＩＲＥＣＴ）（登録商標）のような通信方式を利用する通信である。通信部１０は、各種データを操作装置１００へ送信する。
【００２１】
読取部２０は、シートＳを走査して、画像データを取得する。シートＳは、「記録媒体」の例に相当する。
【００２２】
画像形成部３０は、シートＳにトナー像を形成する。画像形成部３０は、作像部と、トナー補給装置とを備える。
【００２３】
作像部は、トナー像をシートＳに形成する。作像部は、感光体ドラムと、現像装置と、転写装置とを含む。
【００２４】
感光体ドラムは、画像データに基づいて、静電潜像を形成する。現像装置は、現像ローラーを有する。現像ローラーは、感光体ドラムにトナーを供給して静電潜像を現像させることで、感光体ドラムにトナー像を形成する。現像装置には、トナー補給装置からトナーが補給される。
【００２５】
転写部は、感光体ドラムに形成されたトナー像をシートＳに転写する。転写部は、中間転写ベルトを備える。中間転写ベルトには、画像が形成される。中間転写ベルトに形成された画像は、シートＳに転写される。その結果、シートＳに画像が形成される。
【００２６】
給紙部４０は、シートＳを収容する。給紙部４０内のシートＳは、定着部６０を経由して排出部７０から排出される。
【００２７】
搬送経路５０は、シートＳを搬送する。搬送経路５０は、給紙部４０から排出部７０までシートＳが搬送される経路である。
【００２８】
定着部６０は、トナー像をシートＳに定着させる。定着部６０は、シートＳを加熱及び加圧することで、作像部において形成された未定着のトナーを溶融させてシートＳに定着させる。
【００２９】
定着部６０は、加圧ローラーと、定着ローラーとを備える。加圧ローラーと定着ローラーとは、互いに当接してニップ部を形成する。加圧ローラーと定着ローラーとは、回転しながらニップ部においてシートＳを挟んでシートＳを搬送する。
【００３０】
排出部７０は、シートＳを画像形成装置１の外部へ排出する。
【００３１】
記憶部８０は、各種データを記憶する。記憶部８０は、例えば、制御プログラムを記憶する。制御プログラムは、例えば、画像形成部３０の動作を制御するプログラムを含む。記憶部８０は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００３２】
各種データは、画像形成装置１の識別情報と、画像形成装置１の設置情報と、シートＳの残り枚数を示す情報と、設定情報と、進捗情報とを含む。
【００３３】
画像形成装置１の識別情報は、画像形成装置１の型番を示す。型番は、例えば、５桁の記号である。型番は、例えば、画像形成装置１が実行可能な機能に基づいて決定される。画像形成装置１の識別情報は、画像形成装置１を製造した際に記憶部８０に記憶される。
【００３４】
画像形成装置１の設置情報は、画像形成装置１が設置されている場所を示す。例えば、所定の敷地内において、Ｎ棟のＮ階のＮ会議室に画像形成装置１が設置されている。この場合、画像形成装置１の設置情報は、Ｎ棟のＮ階のＮ会議室を示す。なお、画像形成装置１がＧＰＳ（Ｇｌｏｂａｌ  Ｐｏｓｉｔｉｏｎｉｎｇ  Ｓｙｓｔｅｍ）を備える場合、ＧＰＳの位置情報を設置情報としてもよい。
【００３５】
シートＳの残り枚数を示す情報は、給紙部４０に収容されたシートＳの残り枚数を示す。なお、シートＳの残り枚数を示す情報は、シートＳの種別ごとに記憶部８０に記憶される。
【００３６】
設定情報は、ユーザーが記憶部８０に記憶させた情報である。設定情報は、印刷条件と、機密情報と、ユーザー情報とを含む。設定情報は、操作装置１００から入力される。
【００３７】
印刷条件は、シートＳに画像を形成するための条件である。印刷条件は、例えば、シートＳの種別の設定と、部数の設定と、両面印刷の設定と、拡大縮小の設定と、集約の設定と、濃度の設定とを含む。
【００３８】
シートＳの種別の設定は、シートＳの種類を設定できる。シートＳの種別の設定では、例えば、シートＳのサイズを設定できる。部数の設定は、印刷部数を設定できる。両面印刷の設定では、シートＳの片面のみに画像を形成するか、シートＳの両面に画像を形成するかを設定できる。拡大縮小の設定は、画像の倍率を設定できる。集約の設定は、シートＳの片面に複数の画像を形成するかを設定できる。例えば「２イン１」、「４イン１」の設定である。濃度の設定は、画像の濃度を設定できる。
【００３９】
機密情報は、持ち出すことが禁止されている情報である。例えば、機密情報は、個人情報である。ユーザー情報は、機密情報を扱うことが可能なユーザーを示す情報である。機密情報を扱うことが可能なユーザーは、管理者権限を有する。管理者権限を有するユーザーは、個人情報を記憶部８０に記憶させることができる。進捗情報は、進捗を示す情報である。例えば、進捗情報は、設定された部数の印刷状況を示す。
【００４０】
制御部９０は、制御プログラムを実行する。制御部９０は、ＣＰＵ（Ｃｅｎｔｒａｌ  Ｐｒｏｃｅｓｓｉｎｇ  Ｕｎｉｔ）のようなプロセッサーによって構成される。制御部９０は、画像形成装置１を動作させる集積回路を備える。制御部９０の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部９０のプロセッサーは、制御プログラムを実行して、通信部１０と読取部２０と画像形成部３０と給紙部４０と搬送経路５０と定着部６０と排出部７０と記憶部８０とを制御する。
【００４１】
制御部９０は、通信部１０が画像形成装置１の状態を示す情報を操作装置１００に送信するように、通信部１０を制御する。具体的には、画像形成装置１が停止した場合、制御部９０は、画像形成装置１の状態を示す情報を操作装置１００に送信するように、通信部１０を制御する。
【００４２】
画像形成装置１の状態を示す情報は、第１状態を示す情報と、第２状態を示す情報とを含む。第１状態は、画像形成装置１が容易に復帰できない状態を示す。容易に復帰できない状態とは、画像形成装置１の部品交換が必要な状態である。画像形成装置１の部品交換が完了することで、画像形成装置１が使用可能な状態となる。例えば、第１状態は、感光体ドラムに不具合がある場合である。感光体ドラムに不具合がある場合、感光体ドラムを交換する必要がある。感光体ドラムの交換は専門的な知識が必要であるため、サービスマンに依頼する必要がある。画像形成装置１が第１状態の場合、制御部９０は、通信部１０が第１状態を示す情報を操作装置１００に送信するように、通信部１０を制御する。この結果、操作装置１００に第１状態を示す情報が送信される。
【００４３】
第２状態は、第１状態と異なる。第２状態は、画像形成装置１が容易に復帰できる状態を示す。第２状態は、例えば、給紙部４０にシートＳが収容されていない場合である。給紙部４０にシートＳが収容されていない場合、給紙部４０にシートＳを収容することで、画像形成装置１が使用可能な状態となる。画像形成装置１が第２状態の場合、制御部９０は、通信部１０が第２状態を示す情報を操作装置１００に送信するように通信部１０を制御する。この結果、操作装置１００に第２状態を示す情報が送信される。
【００４４】
図１と図２とに示すように、操作装置１００は、入力部１１０と、表示部１２０とを備える。入力部１１０は、ユーザーの操作を受け付ける。ユーザーの操作は、例えば、画像形成装置１の設定を変更する操作を含む。
【００４５】
表示部１２０は、ディスプレーから構成される。ディスプレーは、タッチパネル機能を有するＬＣＤ（Ｌｉｑｕｉｄ  Ｃｒｙｓｔａｌ  Ｄｉｓｐｌａｙ）、またはＥＬＤ（Ｅｌｅｃｔｒｏ  Ｌｕｍｉｎｅｓｃｅｎｃｅ  Ｄｉｓｐｌａｙ）を含む。表示部１２０は、表示部１２０がタッチパネルから構成される場合に、入力部１１０と一体化し得る。
【００４６】
操作装置１００は、通信部１３０と、記憶部１４０と、制御部１５０とをさらに備える。
【００４７】
操作装置１００の通信部１３０は、画像形成装置１の通信部１０と通信する。通信部１３０は、通信部１０との間で無線通信可能である。通信部１３０は、通信部１０から送信される情報を受信する。通信部１３０は、第１画像形成装置１Ａの通信部１０と、第２画像形成装置１Ｂの通信部１０と、第３画像形成装置１Ｃの通信部１０と、第４画像形成装置１Ｄの通信部１０との各々と通信する。
【００４８】
記憶部１４０は、例えば、ハードディスク、ＲＡＭ、及びＲＯＭによって構成される。記憶部１４０は、外部メモリーを含んでいてもよい。外部メモリーは、リムーバブルメディアである。記憶部１４０は、外部メモリーとして、例えば、ＳＤ（Ｓｅｃｕｒｅ  Ｄｉｇｉｔａｌ）カードを含む。記憶部１４０は、各種データ、制御プログラム、及びアプリケーションプログラムを記憶する。制御プログラムは、操作装置１００の各部の動作を制御するためのプログラムである。制御プログラムは、制御部１５０によって実行される。アプリケーションプログラムは、例えば、操作装置１００と画像形成装置１とを連動させるためのプログラムである。記憶部１４０は、端末フォルダーを有する。端末フォルダーは、例えば、各種データを格納する。各種データは、例えば、通信部１０から送信される。
【００４９】
制御部１５０は、制御プログラムを実行することにより、操作装置１００の動作を制御する。制御部１５０は、ＣＰＵのようなプロセッサーによって構成される。また、制御部１５０は、操作装置１００を動作させる集積回路を備える。操作装置１００の集積回路は、例えば、ＡＳＩＣによって構成される。
【００５０】
制御部１５０は、入力部１１０と、表示部１２０と、通信部１３０と、記憶部１４０とにそれぞれ接続されている。例えば、制御部１５０は、表示部１２０を制御する。例えば、制御部１５０は、通信部１０から情報を受信するように通信部１３０を制御する。
【００５１】
制御部１５０は、判定部１５１と、変更部１５２と、選択部１５３とを備える。具体的には、制御部１５０は、記憶部１４０に記憶された制御プログラムを実行して、判定部１５１と変更部１５２と選択部１５３として機能する。
【００５２】
判定部１５１は、第１本体部の状態を判定する。具体的には、判定部１５１は、第１本体部が第１状態であるか否かを判定する。第１本体部は、操作装置１００が取り付けられている画像形成装置１である。第１本体部は、例えば、第１画像形成装置１Ａである。判定部１５１は、第１本体部の状態を示す情報に基づいて、第１本体部が第１状態であるか否かを判定する。
【００５３】
判定部１５１は、ユーザー情報を判定する。具体的には、判定部１５１は、記憶部１４０に記憶されたユーザー情報と操作装置１００を操作するユーザーのユーザー情報とが一致するか否かを判定する。
【００５４】
判定部１５１は、第２本体部の設定情報を第１本体部の設定情報に変更できるか否かを判定する。具体的には、判定部１５１は、第１本体部の型番情報と第２本体部の型番情報とが一致するか否かを判定する。第２本体部は、操作装置１００と通信可能な画像形成装置１である。第２本体部は、例えば、第２画像形成装置１Ｂである。なお、第２本体部は、第２画像形成装置１Ｂに限らない。第２本体部は、複数であり得る。第２本体部は、例えば、第３画像形成装置１Ｃと、第４画像形成装置１Ｄとであり得る。なお、第２本体部は、第１状態が解消した第１画像形成装置１Ａまたは第２状態が解消した第１画像形成装置１Ａであってもよい。
【００５５】
変更部１５２は、設定情報を変更する。具体的には、変更部１５２は、記憶部１４０に記憶された第１本体部の設定情報に基づいて、第２本体部の設定情報を変更する。さらに具体的には、変更部１５２は、判定部１５１の判定結果に基づいて、第２本体部の設定情報を第１本体部の設定情報に変更する。
【００５６】
選択部１５３は、第１本体部の設定情報に変更できる画像形成装置１を選択する。具体的には、選択部１５３は、ネットワークＮに接続された複数の画像形成装置１の内から第１本体部の設定情報に変更できる画像形成装置１を選択する。さらに具体的には、選択部１５３は、判定部１５１の判定結果に基づいて、ネットワークＮに接続された複数の画像形成装置１の内から第１本体部の設定情報に変更できる画像形成装置１を選択する。第１本体部の設定情報に変更できる画像形成装置１は、「特定本体部」の例に相当する。特定本体部は、ネットワークＮに接続された複数の第２本体部の内から第１本体部の設定情報に変更できる第２本体部である。特定本体部は、例えば、第２画像形成装置１Ｂである。なお、特定本体部は、第２画像形成装置１Ｂに限らない。特定本体部は、例えば、第３画像形成装置１Ｃと、第４画像形成装置１Ｄとであり得る。なお、特定本体部は、第１状態が解消した第１画像形成装置１Ａまたは第２状態が解消した第１画像形成装置１Ａであってもよい。
【００５７】
次に図１と図２とを参照して、操作装置１００の記憶部１４０が第１本体部の設定情報を記憶する処理を説明する。図１に示すように、操作装置１００は、第１本体部に取付けられる。第１本体部は、第１画像形成装置１Ａである。第１画像形成装置１Ａは、停止した状態である。第１画像形成装置１Ａの通信部１０は、操作装置１００の通信部１３０に第１画像形成装置１Ａの状態を示す情報を送信する。
【００５８】
判定部１５１は、第１画像形成装置１Ａの状態を示す情報に基づいて、第１画像形成装置１Ａが第１状態であるか否かを判定する。
【００５９】
第１画像形成装置１Ａが第１状態である場合、制御部１５０は、第１画像形成装置１Ａが第１状態であることを示す画像を表示するように、表示部１２０を制御する。この結果、第１画像形成装置１Ａの状態をユーザーに報知できる。また、第１画像形成装置１Ａが第１状態であることを示す画像には、部品交換が必要な状態であることを示す画像と、サービスマンを呼ぶ必要があることを示す画像が表示されてもよい。この結果、ユーザーに第１状態の解消方法を報知できる。
【００６０】
制御部１５０は、第１画像形成装置１Ａから操作装置１００を分離するか否かを問う画像を表示するように、表示部１２０を制御する。ユーザーは、表示部１２０に表示された画像に基づいて、入力部１１０を操作する。入力部１１０は、入力結果を示す情報を制御部１５０に送信する。入力結果を示す情報は、第１画像形成装置１Ａから操作装置１００を分離することを示す情報と、第１画像形成装置１Ａから操作装置１００を分離しないことを示す情報との内のいずれか１つの情報である。
【００６１】
第１画像形成装置１Ａから操作装置１００を分離する場合、判定部１５１は、記憶部１４０に記憶されたユーザー情報と操作装置１００を操作するユーザーのユーザー情報とが一致するか否かを判定する。記憶部１４０に記憶されたユーザー情報と操作装置１００を操作するユーザーのユーザー情報とが一致する場合、制御部１５０は、記憶部１４０が機密情報を記憶するように、記憶部１４０を制御する。この結果、機密情報を扱うことが可能なユーザーであるか否かを判定できる。なお、制御部１５０は、識別情報と、設置情報と、機密情報以外の設定情報と、進捗情報とをさらに記憶するように、記憶部１４０を制御してもよい。
【００６２】
記憶部１４０に記憶されたユーザー情報と操作装置１００を操作するユーザーのユーザー情報とが一致しない場合、制御部１５０は、ユーザー情報が一致しないことを示す画像を表示部１２０が表示するように、表示部１２０を制御する。
【００６３】
また、第１画像形成装置１Ａが第１状態でない場合、制御部１５０は、第１画像形成装置１Ａが第２状態であることを示す画像を表示するように、表示部１２０を制御する。この結果、第１画像形成装置１Ａの状態をユーザーに報知できる。また、第１画像形成装置１Ａが第２状態であることを示す画像には、第２状態となった原因を示す画像を表示してもよい。例えば、給紙部４０にシートＳがない場合、シートＳが無いことを示す画像を表示する。例えば、搬送経路５０にシートＳが詰まっている場合、シートＳが詰まっていることを示す画像を表示する。この結果、ユーザーに第２状態の解消方法を報知できる。
【００６４】
第１画像形成装置１Ａから操作装置１００を分離する場合、制御部１５０は、記憶部１４０が第１画像形成装置１Ａの設定情報を記憶するように、記憶部１４０を制御する。なお、第１画像形成装置１Ａが第２状態の場合、記憶部１４０に記憶される第１画像形成装置１Ａの設定情報は、機密情報を除く設定情報である。例えば、シートＳが無いために第１画像形成装置１Ａの判定部１５１が第２状態であると判定した場合、制御部１５０は、記憶部１４０が機密情報を除く設定情報を記憶するように、記憶部１４０を制御する。なお、制御部１５０は、識別情報と、設置情報と、進捗情報とを記憶するように、記憶部１４０を制御してもよい。
【００６５】
次に図１と図２とを参照して、第２本体部の設定情報を第１本体部の設定情報に変更できるか否かを判定する処理について詳しく説明する。
【００６６】
第２本体部の設定情報を第１本体部の設定情報に変更できるか否かを判定する場合、操作装置１００は第２本体部の通信部１０と通信して第２本体部の型番情報を取得する。具体的には、操作装置１００は、ネットワークＮを介して複数の第２本体部から型番情報を取得する。複数の第２本体部は、例えば、第２画像形成装置１Ｂと、第３画像形成装置１Ｃと、第４画像形成装置１Ｄとである。操作装置１００は、ネットワークＮを介して第２画像形成装置１Ｂの型番情報と、第３画像形成装置１Ｃの型番情報と、第４画像形成装置１Ｄの型番情報とを取得する。
【００６７】
判定部１５１は、複数の第２本体部の型番情報の各々が第１本体部の型番情報と一致するか否かを判定する。具体的には、判定部１５１は、第２画像形成装置１Ｂの型番情報と、第３画像形成装置１Ｃの型番情報と、第４画像形成装置１Ｄの型番情報との各々が第１画像形成装置１Ａの型番情報と一致するか否かを判定する。例えば、第１画像形成装置１Ａの型番情報と第２画像形成装置１Ｂの型番情報とが一致する場合、判定部１５１は、第２画像形成装置１Ｂの設定情報を第１画像形成装置１Ａの設定情報に変更できると判定する。第１画像形成装置１Ａの型番情報と第２画像形成装置１Ｂの型番情報とが一致しない場合、判定部１５１は、第２画像形成装置１Ｂの設定情報を第１画像形成装置１Ａの設定情報に変更できないと判定する。
【００６８】
ネットワークＮを介することで、判定部１５１は、ネットワークＮに接続された画像形成装置１の型番情報が、第１画像形成装置１Ａの型番情報と一致するか否かを判定できる。この結果、判定部１５１は、ネットワークＮに接続された複数の画像形成装置１の内から第１画像形成装置１Ａの設定情報に変更できる画像形成装置１を判定できる。
【００６９】
選択部１５３は、判定部１５１の判定結果に基づいて、特定本体部を選択する。例えば、選択部１５３は、ネットワークＮに接続された複数の第２本体部の内から第１画像形成装置１Ａの設定情報に変更できる特定本体部を選択する。特定本体部は、例えば、第２画像形成装置１Ｂと第３画像形成装置１Ｃとである。
【００７０】
制御部１５０は、表示部１２０が選択部１５３の選択結果を表示するように、表示部１２０を制御する。表示部１２０は、選択部１５３の選択結果に基づいて、特定本体部を示す情報を表示する。例えば、表示部１２０は、第２画像形成装置１Ｂを示す情報と第３画像形成装置１Ｃを示す情報とを表示する。
【００７１】
また、表示部１２０には、画像形成装置１の設置情報が表示される。例えば、第２画像形成装置１Ｂが表示部１２０に表示される場合、表示部１２０には第２画像形成装置１Ｂを示す情報と第２画像形成装置１Ｂの設置情報とが表示される。設置情報を表示することで、ユーザーは第２画像形成装置１Ｂが設置されている場所がわかる。
【００７２】
次に図１から図３を参照して、第２本体部の設定情報を第１本体部の設定情報に変更する処理を説明する。図３は、操作装置１００が第２本体部と通信した状態を示す。第２本体部は、第２画像形成装置１Ｂである。
【００７３】
図３に示すように、第２画像形成装置１Ｂは、通信部１０と、読取部２０と、画像形成部３０と、給紙部４０と、搬送経路５０と、定着部６０と、排出部７０と、記憶部８０と、制御部９０と、操作部２００とを備える。操作部２００は、ユーザーからの操作を受け付ける。通信部１０は、操作装置１００との間で無線通信する。
【００７４】
第２画像形成装置１Ｂの設定情報を第１画像形成装置１Ａの設定情報に変更できる場合、変更部１５２は、第２画像形成装置１Ｂの設定情報を第１画像形成装置１Ａの設定情報に変更する。
【００７５】
例えば、第１画像形成装置１Ａの設定情報には、シートＳの種別の設定と、部数の設定と、両面印刷の設定とが含まれる。シートＳの種別の設定は、例えば、「Ａ４」である。部数の設定は、例えば、「１０部」である。両面印刷の設定は、例えば、「両面」である。これに対し、第２画像形成装置１Ｂの設定情報には、シートＳの種別の設定と、部数の設定と、両面印刷の設定とが含まれる。シートＳの種別の設定は、例えば、「Ａ４」である。部数の設定は、例えば、「５部」である。両面印刷の設定は、例えば、「片面」である。
【００７６】
変更部１５２によって第２画像形成装置１Ｂの設定情報が変更される場合、第２画像形成装置１ＢのシートＳの種別の設定と部数の設定と両面印刷の設定とは、第１画像形成装置１ＡのシートＳの種別の設定と部数の設定と両面印刷の設定と同じになる。つまり、第２画像形成装置１ＢのシートＳの種別の設定は、「Ａ４」に変更される。第２画像形成装置１Ｂの部数の設定は、「１０部」に変更される。第２画像形成装置１Ｂの両面印刷の設定は、「両面」に変更される。なお、変更される前の第２画像形成装置１Ｂの設定情報は、記憶部８０に記憶される。第２画像形成装置１Ｂと操作装置１００との通信が切断された場合、第２画像形成装置１Ｂの設定情報は、変更される前の第２画像形成装置１Ｂの設定情報に戻ってもよい。
【００７７】
変更部１５２によって、第２画像形成装置１Ｂを第１画像形成装置１Ａと同じ設定情報で使用できる。この結果、ユーザーの利便性が向上する。
【００７８】
また、第２画像形成装置１Ｂの設定情報を第１画像形成装置１Ａの設定情報に変更できないと判定部１５１が判定する場合、変更部１５２は、第２画像形成装置１Ｂの設定情報を第１画像形成装置１Ａの設定情報に変更しないようにしてもよい。また、第２画像形成装置１Ｂの設定情報の内の一部の設定情報が第１画像形成装置１Ａの設定情報に変更できない場合、変更部１５２は、変更できる第２画像形成装置１Ｂの設定情報のみを第１画像形成装置１Ａの設定情報に変更してもよい。この結果、ユーザーの利便性が向上する。
【００７９】
なお、第２本体部は、第１状態または第２状態が解消した第１画像形成装置１Ａであってもよい。例えば、第１画像形成装置１Ａが第１状態または第２状態になることで第１画像形成装置１Ａの記憶部８０が初期化された場合、操作装置１００と第１画像形成装置１Ａとが通信することで、第１状態または第２状態になる前の第１画像形成装置１Ａの設定情報に変更される。この結果、ユーザーの利便性が向上する。
【００８０】
次に図１から図４を参照して、操作装置１００の制御部１５０が実行する処理を説明する。図４は、制御部１５０が実行する処理のフローチャートを示す。図４に示すように、制御部１５０が実行する処理は、ステップＳ１からステップＳ１７を含む。
【００８１】
ステップＳ１：判定部１５１は、第１画像形成装置１Ａが第１状態であるか否かを判定する。第１画像形成装置１Ａが第１状態である場合（ステップＳ１において、Ｙｅｓ）、処理はステップＳ１３に進む。第１画像形成装置１Ａが第１状態でない場合（ステップＳ１において、Ｎｏ）、処理はステップＳ３に進む。
【００８２】
ステップＳ３：制御部１５０は、入力部１１０からの情報に基づき、操作装置１００を分離するか否かを判定する。操作装置１００を分離しない場合（ステップＳ３において、Ｎｏ）、処理は終了する。操作装置１００を分離する場合（ステップＳ３において、Ｙｅｓ）、処理はステップＳ５に進む。
【００８３】
ステップＳ５：制御部１５０は、記憶部１４０が第１画像形成装置１Ａの設定情報を記憶するように、記憶部１４０を制御する。具体的には、制御部１５０は、記憶部１４０が機密情報を除く設定情報を記憶するように、記憶部１４０を制御する。処理は、ステップＳ７に進む。
【００８４】
ステップＳ７：判定部１５１は、第２画像形成装置１Ｂの設定情報を第１画像形成装置１Ａの設定情報に変更できるか否かを判定する。第２画像形成装置１Ｂの設定情報を第１画像形成装置１Ａの設定情報に変更できないと判定部１５１が判定した場合（ステップＳ７において、Ｎｏ）、処理は終了する。第２画像形成装置１Ｂの設定情報を第１画像形成装置１Ａの設定情報に変更できると判定部１５１が判定した場合（ステップＳ７において、Ｙｅｓ）、処理はステップＳ９に進む。
【００８５】
ステップＳ９：制御部１５０は、表示部１２０が第１画像形成装置１Ａの設定情報に変更可能な第２画像形成装置１Ｂを表示するように、表示部１２０を制御する。処理は、ステップＳ１１に進む。
【００８６】
ステップＳ１１：変更部１５２は、判定部１５１の判定結果に基づいて、第２画像形成装置１Ｂの設定情報を第１画像形成装置１Ａの設定情報に変更する。処理は終了する。
【００８７】
ステップＳ１３：制御部１５０は、入力部１１０からの情報に基づき、操作装置１００を分離するか否かを判定する。操作装置１００を分離しないと判定部１５１が判定した場合（ステップＳ１３において、Ｎｏ）、処理は終了する。操作装置１００を分離すると判定部１５１が判定した場合（ステップＳ１３において、Ｙｅｓ）、処理はステップＳ１５に進む。
【００８８】
ステップＳ１５：判定部１５１は、記憶部１４０に記憶されたユーザー情報と操作装置１００を操作するユーザーのユーザー情報とが一致するか否かを判定する。ユーザー情報が一致しないと判定部１５１が判定した場合（ステップＳ１５において、Ｎｏ）、処理はステップＳ５に進む。なお、ユーザー情報が一致しないと判定部１５１が判定した場合、処理を終了してもよい。ユーザー情報が一致すると判定部１５１が判定した場合（ステップＳ１５において、Ｙｅｓ）、処理は、ステップＳ１７に進む。
【００８９】
ステップＳ１７：制御部１５０は、記憶部１４０が機密情報を記憶するように、記憶部１４０を制御する。処理は、ステップＳ７に進む。
【００９０】
以上、図面（図１〜図４）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００９１】
（１）第２本体部の設定情報を第１本体部の設定情報に変更できるか否かを判定する場合、型番情報と設定情報とシートＳの残り枚数を示す情報とに基づいて、判定部１５１が判定してもよい。
【００９２】
例えば、第１画像形成装置１Ａの部数の設定は、「３０部」である。部数の設定に対応するシートＳの枚数は、６０枚である。操作装置１００は、部数の設定に対応するシートＳの枚数がシートＳの残り枚数以上か否かを判定する。
【００９３】
型番情報が一致し、部数の設定に対応するシートＳの枚数がシートＳの残り枚数以上である場合、判定部１５１は、第２画像形成装置１Ｂの設定情報を第１画像形成装置１Ａの設定情報に変更できると判定する。型番情報が一致したものの、部数の設定に対応するシートＳの枚数がシートＳの残り枚数以上でない場合、判定部１５１は、第２画像形成装置１Ｂの設定情報を第１画像形成装置１Ａの設定情報に変更できないと判定する。この結果、第１本体部の設定情報に変更された第２本体部がすぐに停止することを防止できる。
【００９４】
（２）第２本体部の設定情報を第１本体部の設定情報に変更する場合、変更部１５２は、設定情報と進捗情報とに基づいて、第２画像形成装置１Ｂの設定情報を変更してもよい。例えば、第１画像形成装置１Ａの部数の設定は、「１０部」である。１０部の内の３部を第１画像形成装置１Ａが印刷した際に、第１画像形成装置１Ａが停止する。記憶部１４０は、進捗情報を記憶する。進捗情報は、設定された部数の印刷状況を示す。進捗情報は、例えば、３部印刷したこと示す情報である。変更部１５２は、第１画像形成装置１Ａの設定情報と進捗情報とに基づいて、第２画像形成装置１Ｂの設定情報を第１画像形成装置１Ａの設定情報に変更する。変更部１５２は、第２画像形成装置１Ｂが残りの部数を印刷するように、第２画像形成装置１Ｂの設定情報を変更する。具体的には、変更部１５２は、第２画像形成装置１Ｂが残りの７部の印刷を行うように、第２画像形成装置１Ｂの設定情報を変更する。第１画像形成装置１Ａの設定情報と進捗情報とに基づいて第２画像形成装置１Ｂの設定情報を変更するため、第１画像形成装置１Ａで実行されていた印刷の続きを第２画像形成装置１Ｂが行う。この結果、ユーザーが指定した部数の印刷が可能となる。したがって、ユーザーの利便性が向上する。
【産業上の利用可能性】
【００９５】
本発明は、操作装置及び画像形成装置の分野に利用可能である。
【符号の説明】
【００９６】
１Ａ    第１画像形成装置（第１本体部、第２本体部）
１Ｂ    第２画像形成装置（第１本体部、第２本体部）
１Ｃ    第３画像形成装置（第１本体部、第２本体部）
１Ｄ    第４画像形成装置（第１本体部、第２本体部）
３０    画像形成部
１００  操作装置
１２０  表示部
１３０  通信部
１４０  記憶部
１５０  制御部
１５１  判定部
１５２  変更部
１５３  選択部
Ｓ      シート
【図１】
2020015217.tif 000003
【図２】
2020015217.tif 000004
【図３】
2020015217.tif 000005
【図４】
2020015217.tif 000006